(57)【要約】【課題】  空気絶縁型高周波同軸ケーブルの端末処理を簡単な作業により短時間で行う。【解決手段】  外部導体４が螺旋状に波付けされた空気絶縁型高周波同軸ケーブル１の端末を気密にカバーする空気絶縁型高周波同軸ケーブル用気密キャップ７であって、皮剥ぎ処理された空気絶縁型高周波同軸ケーブル１端末からケーブルシース５部分まで覆うキャップ本体８と、このキャップ本体８の内周壁９に設けられ当該内周壁９とケーブルシース５との隙間をシールするガスケット１４とを備えた。【選択図】  図５
2005151765.tif 000002
【特許請求の範囲】
【請求項１】
外部導体が螺旋状に波付けされた空気絶縁型高周波同軸ケーブルの端末を気密にカバーする空気絶縁型高周波同軸ケーブル用気密キャップであって、皮剥ぎ処理された上記空気絶縁型高周波同軸ケーブル端末からケーブルシース部分まで覆うキャップ本体と、このキャップ本体の内周壁に設けられ当該内周壁と上記ケーブルシースとの隙間をシールするガスケットとを備えたことを特徴とする空気絶縁型高周波同軸ケーブル用気密キャップ。
【請求項２】
上記キャップ本体の内周壁に、螺旋状に波付けされた上記外部導体を螺合させる螺旋溝を形成した請求項１記載の空気絶縁型高周波同軸ケーブル用気密キャップ。
【請求項３】
上記キャップ本体の端部に、上記外部導体の内側に乾燥空気等を注入するためのバルブを設けた請求項１又は２記載の空気絶縁型高周波同軸ケーブル用気密キャップ。
【発明の詳細な説明】
【技術分野】
【０００１】
本発明は、外部導体が螺旋状に波付けされた空気絶縁型高周波同軸ケーブルの端末を気密にカバーする空気絶縁型高周波同軸ケーブル用気密キャップに関するものである。
【背景技術】
【０００２】
空気絶縁型高周波同軸ケーブルは、ラジオやテレビ放送の送信側の給電線や、レーダ施設やアンテナ施設で主に用いられる。この空気絶縁型高周波同軸ケーブルは、軽量で可撓性に富み、大きな電力容量と小さい減衰量を得ることができると共に、長尺ケーブルが製造可能で、反射特性が良好であるといった性能を有している。
【０００３】
図６に示すように、空気絶縁型高周波同軸ケーブル１は、銅からなる内部導体２の周囲に、ポリエチレンからなる棒状の絶縁体３が螺旋状に巻き付けられ、その外周側に、銅からなる筒状の外部導体４が設けられ、さらにその外周にポリエチレンからなるケーブルシース（防食層）５が形成されている（例えば、特許文献１参照）。内部導体２と外部導体４間の空間には、乾燥空気や窒素等が封入されている。
【０００４】
空気絶縁型高周波同軸ケーブル１を保管するために行う端末処理は、まず、図６に示すように、ケーブルシース５を所定長さ剥ぎ取ると共に、内部導体２と絶縁体３を外部導体４よりも短く切断する。そして、図７に示すように、外部導体４の先端を、バルブ６を挟み込むように押し潰して、半田で隙間のないように接着することで、バルブ６を気密に取り付ける。
【０００５】
【特許文献１】特開平６−２０５３４号公報
【発明の開示】
【発明が解決しようとする課題】
【０００６】
しかしながら、上述の端末処理では、外部導体４の先端を押し潰して、はんだ付けを行う必要があるため、その作業に多くの手間と時間を要するといった問題があった。特に、ケーブルサイズが大きい場合には、作業が大変で非常に多くの手間と時間を要していた。
【０００７】
そこで本発明は、上記課題を解決すべく創案されたものであり、その目的は、簡単な作業により端末処理を短時間で行うことができる空気絶縁型高周波同軸ケーブル用気密キャップを提供することにある。
【課題を解決するための手段】
【０００８】
上記目的を達成するために、本発明は、外部導体が螺旋状に波付けされた空気絶縁型高周波同軸ケーブルの端末を気密にカバーする空気絶縁型高周波同軸ケーブル用気密キャップであって、皮剥ぎ処理された上記空気絶縁型高周波同軸ケーブル端末からケーブルシース部分まで覆うキャップ本体と、このキャップ本体の内周壁に設けられ当該内周壁と上記ケーブルシースとの隙間をシールするガスケットとを備えたものである。
【０００９】
そして、上記キャップ本体の内周壁に、螺旋状に波付けされた上記外部導体を螺合させる螺旋溝を形成したものが好ましい。
【００１０】
また、上記キャップ本体の端部に、上記外部導体の内側に乾燥空気等を注入するためのバルブを設けたものが好ましい。
【発明の効果】
【００１１】
本発明によれば、簡単な作業により端末処理を短時間で行うことができるといった優れた効果を発揮する。
【発明を実施するための最良の形態】
【００１２】
以下、本発明の好適な一実施形態を添付図面に基づいて詳述する。
【００１３】
かかる空気絶縁型高周波同軸ケーブル用気密キャップは、空気絶縁型高周波同軸ケーブルの保管時に、そのケーブルの端面に組み込むことで、外部導体の内部の気密を保つものである。
【００１４】
図１は本発明に係る空気絶縁型高周波同軸ケーブル用気密キャップの好適な実施の形態を示した一部断面側面図、図２は本発明に係る空気絶縁型高周波同軸ケーブル用気密キャップの好適な実施の形態を示した正面図、図３は空気絶縁型高周波同軸ケーブルを示した側面図、図４は皮剥ぎ処理された空気絶縁型高周波同軸ケーブルを示した側面図、図５は空気絶縁型高周波同軸ケーブル用気密キャップの装着状態を示した一部断面側面図である。
【００１５】
図１、図２及び図５に示すように、本実施の形態に係る空気絶縁型高周波同軸ケーブル用気密キャップ７は、皮剥ぎ処理された空気絶縁型高周波同軸ケーブル１をその端末からケーブルシース５部分まで覆うキャップ本体８を有している。
【００１６】
キャップ本体８は、有底円筒状に形成されており、その内部には、外部導体４部分が挿入される外部導体収容部１１と、ケーブルシース５部分が挿入されるケーブルシース収容部１２とが連続的に形成されている。
【００１７】
ケーブルシース収容部１２は、その内径がケーブルシース５の外径と略同径か或いは若干大きくなるように形成されている。ケーブルシース収容部１２の内周壁９には、その内周壁９とケーブルシース５との隙間をシールするガスケット１４がその周方向に沿って設けられている。ガスケット１４は、リング状に形成され、内周壁９の周方向全周に亘って形成されたガスケット収容溝１５内に、その一部が径方向内側に突出するように取り付けられている。本実施の形態では、ガスケット１４は、二重に設けられており、シール性を高めている。なお、ガスケット１４の個数は２に限られるものではなく、ケーブルサイズ等の各種条件に応じて適宜決定される。
【００１８】
外部導体収容部１１の内周壁１６には、螺旋状に波付けされた外部導体４を螺合させる螺旋溝１７が形成されている。キャップ本体８の外周面には、スパナ掛け面１８が形成されている。キャップ本体８を、皮剥ぎ処理された空気絶縁型高周波同軸ケーブル１の端末から被せて、スパナ（図示せず）をスパナ掛け面１８に掛けて回転させることで、外部導体４が螺旋溝１７に螺合されて、空気絶縁型高周波同軸ケーブル１が空気絶縁型高周波同軸ケーブル用気密キャップ７に挿入される。
【００１９】
外部導体４とケーブルシース５とはその外径が異なるので、外部導体収容部１１とケーブルシース収容部１２との境界部分に段部１９が形成される。この段部１９に、空気絶縁型高周波同軸ケーブル１のケーブルシース５の端面が当接することで、空気絶縁型高周波同軸ケーブル１に対するキャップ本体８の位置決めがなされる。
【００２０】
キャップ本体８の端部２３には、外部導体４の内側に乾燥空気や窒素等を注入するためのバルブ２１が設けられている。バルブ２１は、キャップ本体８端面から、外部導体収容部１１に繋がる貫通穴２２に気密に挿入固定されている。
【００２１】
上記構成の空気絶縁型高周波同軸ケーブル用気密キャップ７を空気絶縁型高周波同軸ケーブル１に装着するに際しては、図３に示すように、切断された空気絶縁型高周波同軸ケーブル１の端部からケーブルシース５を所定長さ剥ぎ取り、外部導体４を露出させる（図４参照）。
【００２２】
空気絶縁型高周波同軸ケーブル１の端部側から空気絶縁型高周波同軸ケーブル用気密キャップ７を被せると共に、スパナをスパナ掛け面１８に掛けて回転させ、外部導体４を螺旋溝１７に螺合させる。
【００２３】
このとき、ガスケット１４がケーブルシース５の外周面に摺接するため、装着の抵抗になるが、外部導体４が螺旋溝１７に螺合することで、空気絶縁型高周波同軸ケーブル１がキャップ本体８内部に確実に引き込まれる。そして、ガスケット１４がケーブルシース５に確実に密着するので、ケーブル端部の気密性が確保される。
【００２４】
その後、バルブ２１に、送風パイプ（図示せず）を接続して、乾燥空気等を外部導体４内部に注入する。そして、バルブ２１を閉じて、送風パイプを取り外して、空気絶縁型高周波同軸ケーブル用気密キャップ７の装着作業が終了する。
【００２５】
上記構成の空気絶縁型高周波同軸ケーブル用気密キャップ７によれば、従来のように外部導体４を押し潰す作業が必要なく、キャップ本体８を回転させながら押し込むといった簡単な作業のみで装着でき、気密性の高い端末処理を短時間で行うことができる。
【００２６】
また、空気絶縁型高周波同軸ケーブル用気密キャップ７は、空気絶縁型高周波同軸ケーブル１に対して着脱自在であるので、繰り返して利用することが可能である。さらに、外部導体４を潰さないので、製品ロスをなくすことができる。
【００２７】
また、キャップ本体８の端部２３にバルブ２１を設けたことによって、外部導体４内に乾燥空気等を容易に注入することができ、空気絶縁型高周波同軸ケーブル１の性能を維持することができる。
【図面の簡単な説明】
【００２８】
【図１】本発明に係る空気絶縁型高周波同軸ケーブル用気密キャップの好適な実施の形態を示した一部断面側面図である。
【図２】本発明に係る空気絶縁型高周波同軸ケーブル用気密キャップの好適な実施の形態を示した正面図である。
【図３】空気絶縁型高周波同軸ケーブルを示した側面図である。
【図４】皮剥ぎ処理された空気絶縁型高周波同軸ケーブルを示した側面図である。
【図５】空気絶縁型高周波同軸ケーブル用気密キャップの装着状態を示した一部断面側面図である。
【図６】空気絶縁型高周波同軸ケーブルを示した一部断面側面図である。
【図７】従来の端末処理を示した側面図である。
【符号の説明】
【００２９】
１  空気絶縁型高周波同軸ケーブル
４  外部導体
５  ケーブルシース
７  空気絶縁型高周波同軸ケーブル用気密キャップ
８  キャップ本体
９  内周壁
１４  ガスケット
１６  内周壁
１７  螺旋溝
２１  バルブ
２３  （キャップ本体の）端部
【図１】
2005151765.tif 000003
【図２】
2005151765.tif 000004
【図３】
2005151765.tif 000005
【図４】
2005151765.tif 000006
【図５】
2005151765.tif 000007
【図６】
2005151765.tif 000008
【図７】
2005151765.tif 000009